(57)【特許請求の範囲】
【請求項１】
対向する締着ホルダーと受けホルダーの間に水道メータの両側端面を挟着支持する水道用メータホルダーにおいて、両ホルダーのメータ支持部にメータ支持ピースを回動可能に嵌着し、何れか一方、或いは双方のホルダーのメータ支持ピースにキーパーを付設した操作ハンドルを設定すると共に、ホルダーの端部にローラキャッチを設定して、メータ支持ピース間に挟着支持した水道用メータを前記操作ハンドルにより任意の角度に回動操作したときに、操作ハンドルに付設したキーパーが所定の回動位置においてローラキャッチに嵌合するようにしたことを特徴とする水道用メーターホルダー
【請求項２】
ホルダーの胴部に、操作ハンドルを設定したメータ支持ピースの回動端縁が当接するストッパー突起を設定するようにした請求項１記載の水道用メーターホルダー
【請求項３】
対向するメータ支持ピースの対向下端部を連結体によって連結固定するようにした請求項１又は請求項２記載の水道用メーターホルダー
【請求項４】
メータホルダー本体両側の配水管連結部に、それぞれ、回動可能なエルボ型継手体を設定するようにした請求項１又は請求項２又は請求項３記載の水道用メーターホルダー
【発明の詳細な説明】
【技術分野】
【０００１】
本発明は、水道メータの両端を着脱可能に支持して配管部に連結する水道用メータホルダーに関し、特に、戸建て住宅などスペースが限定される場合に、壁や塀などの垂直面や狭隘な部位に設置してメータを検針し易くセットできるようにした水道用メータホルダーに関するものである。
【背景技術】
【０００２】
従来、水道用メータは地面に埋設する形態でセットされ、蓋を開けて上から覗き込む形で検針作業が行われてきたが、各戸への引込み配管にメータを連結する手間を省くため、あらかじめ水道配管と連結して設置する水道用メータホルダーが用いられてきている。
【０００３】
メータホルダーへの水道用メータの支持は、対向する一方のホルダーを締付けホルダー、他方を受けホルダーとして締付けホルダーのスライダーを受けホルダーに向けて推進させ、メータ端面を受けホルダーの受け面に押し付け圧着させて対峙ホルダー間にメータを挟着支持することが行われてきた。
【０００４】
また、締付けホルダーと受けホルダーは、水道用メータを支持する基盤としてホルダーベースと一体的に固定されるホルダーポートによって固定され、メータ嵌入スペースとしての面間距離は締付けホルダーのスライダー進退距離に限定されてきている。
【先行技術文献】
【特許文献】
【０００５】
上記のような、メータホルダーの固定的な構造に対して例えば特許文献１に記載のように、メータの両端にホルダーベースとは別体に構成され、逆止弁ユニット等、水道配管との接続調整機構を内蔵してホルダーに着接する一対のアタッチメントを装着するように構成してホルダーベース全体の構成に流動的な対応可能性を与えることも提案されてきている。
【０００６】
更に、ホルダーベースの２次側には、配管部からメータへの逆流を防止するためカートリッジ式の逆止弁ユニットが設定されるが、ユニットの設定は、例えば特許文献２に記載のように、収容スペース内にユニットを収容し、座金を嵌めてメータピースで押さえ、ガスケットを嵌着してメータの着合端を着合する等、固定的な手段が講じられてきている。
【０００７】
なお、メータホルダーベース介装用ではないが、逆止弁座と弁体をユニットとしてカートリッジ式にしたものとして、例えば特許文献３に記載のような逆止弁が存在する。
【特許文献１】特開２００３−８３７７８号公報
【特許文献２】特開２００３−２７９３９７号公報
【特許文献３】特開平１１−９４１０４号公報
【発明の概要】
【発明が解決しようとする課題】
【０００８】
近時、都市部などでは水道用メータを地面に埋設する形態でセットするスペースの確保が困難になってきており、新しいメータ設置スペースの開拓が必要となってきている一方、メータの指針表示面が設置スペースに対して固定的であるため、設置スペースが環境条件によって限定され、検針作業にも影響してくる問題があった。
【０００９】
また、設置スペースの環境条件を地面に限定した場合、地面に専用スペースを確保する必要があるほか、凹陥する設置スペース内には泥水やゴミが浸入するので、設置スペース内の清掃を怠るとメータセット内に泥水やゴミが浸入する恐れがあり、故障に繋がる問題もあった。
【００１０】
更に、地面への埋設形態の場合には給水管との連結も側方に限定されざるを得ないため、メータホルダー本体を設定する、例えば、縦、横、斜めと言った向き、或いは天井に天地を反転して設定する場合の部位に制約が加えられ、給水管に対して水平を保たなければならないと言った問題がある。
【課題を解決するための手段】
【００１１】
本発明は上記した課題に対応しようとするものであり、締着ホルダーと受けホルダーのメータ支持部にメータ支持ピースを回動可能に嵌着すると共に、ホルダーのメータ支持ピースに、垂直方向に把手を設け、ホルダー端部に設定されたローラキャッチに嵌合するキーパーを付設した操作ハンドルを設定して、ハンドル操作により挟着支持した水道用メータを任意の角度に回動操作できるようにして、メータの指針表示面を自由に回動して検針作業員の目線に合わせることができるようにした。
【００１２】
また、対向するメータ支持ピースの対向下端部を連結体によって連結固定するようにしメータ支持ピースによるメータ支持力を安定させると共に、メータ支持ピースの回動端縁が当接するストッパー突起を設定してハンドル可動角を固定して設置スペースの環境条件に対応した安定力を与えるようにした。
【００１３】
更に、メータホルダー本体両側の配水管連結部に、それぞれ、回動可能なエルボ型継手体を設定するようにし、設置スペースに配管された給水管の位置に対応してメータホルダー本体の配水管連結部を回動移行させて、自由な連結を可能として設置スペースの選定範囲を拡大した。
【発明の効果】
【００１４】
本発明は、上記のようにメータの指針表示面の回動を可能にすることによって検針作業員の目線に合わせた検針作業が行えると共に、メータホルダー設置スペースの配置場所の選定範囲を広げ、設置スペースの環境に合わせてメータの指針表示面の向きを変えることができるので、住宅の壁や塀などの垂直面、或いは傾斜面にもホルダーを設定することができ、設置スペースの節約と確保に貢献できる効果がある。
【図面の簡単な説明】
【００１５】
【図１】本発明の実施例を示すもので、水道用メータを着装した状態における要部を切欠断面とした水道用メータホルダーの全体正面図
【図２】同じく、メータホルダー本体両側のエルボ型継手を外し、要部を切欠或いは透視面とした水道用メータホルダーの全体平面図
【図３】同じく、２次側メータ支持ピースに付設した操作ハンドルとローラーキャッチの関係を示す図１のＸーＸラインによる断面図
【図４】同じく、メータを回動させて指針表示面を可動角一杯に傾斜させた状態における、メータ支持ピースに付設した操作ハンドルとローラーキャッチ及びストッパー突起の関係を示す図１のＸーＸ断面図
【図５】同じく、２次側メータ支持ピースに操作ハンドルを固定するローラーキャッチを付設するのに代えて可動角の上限位置と下限位置にストッパー突起を設定した実施例を示す図１のＸーＸラインによる断面図
【図６】同じく、メータ支持ピース連結体の１例を示す台盤状連結体の斜視図
【図７】同じく、メータ支持ピース連結体の１例を示す棒状連結杆の斜視図
【発明を実施するための形態】
【００１６】
以下、図面を参照して本発明の実施の形態について詳細に説明すると、１はホルダーベースの本体で、両側に対峙する１次側の締付けホルダー１ａと２次側の受けホルダー１ｂの一対から成り、メータ支持ピース２ａ、２ｂがそれぞれ回動可能に嵌着されている。
【００１７】
１次側ホルダー１ａは、内側端面にメータＡの端部に着合する嵌着部２１が設けられたメータ支持ピース２ａを回動可能に嵌着すると共に、同嵌着部２１をメータＡの端部着合端に対して圧接させるために前進後退の作動をする締着筒４が嵌装され、締着筒４の前進により１次側ホルダー１ａが締付けホルダー、２次側ホルダー１ｂが受けホルダー、として水道メータＡの両端に圧着してメータＡをベース本体１の中軸レベルに支持し、その１次側背後に止水栓ユニット１４が嵌装され外側端部に設けられた配管連結構造部１１に設定されたエルボ型継手１３を介して給水支管Ｐ１と連結するようになっている。
【００１８】
締着筒４には回動ハンドル４１が設けられ、締着筒４を回動することによりホルダー１ａ内径の雌螺子１２と螺合する締着筒４の後端部外表に刻設された雄螺子４２が締着筒４を螺進退させ、メータ支持ピース２ａを介して水道メータＡの両端を圧着或いは解離できるようになっている。
【００１９】
２次側ホルダー１ｂは１次側ホルダー１ａと同じくメータＡの端部に着合する嵌着部２１が設けられたメータ支持ピース２ｂを回動可能に嵌着し、メータ支持ピース２ｂの内側端面にはメータＡの端部に着合する嵌着部２１が設けられると共に、その背後に逆止弁ユニット３が嵌装され、外側端部には配管連結構造部１１が設けられ、エルボ型継手１３を介して給水支管Ｐ２と連結する。
【００２０】
逆止弁ユニット３は２次側ホルダー１ｂに設定された嵌入スペース３１に着脱可能に嵌合され、嵌入スペース３１の上部開口部３２のキャップ３３を外せば、容易に着脱交換できるようになっている。
【００２１】
メータ支持ピース２ｂには、ホルダー１ｂに設定されたローラキャッチ６に嵌合するキーパー６１を付設した操作ハンドル５が設定され、ハンドル５を手前にひけば、挟着支持した水道用メータＡを任意の角度に回動操作できるようになっている。また、キーパー６１はハンドル座板５１の側部垂直面に付設され、ハンドル５が垂直状態にある位置においてローラキャッチ６の挟着爪６２、６２の間に挿入嵌合されハンドル位置の安定が保たれる。
【００２２】
２次側ホルダー１ｂの下端部には、２次側メータ支持ピース２ｂに取り付けられたハンドル座板５１の締着ビス５２の頭部が回動端縁として当接するストッパー突起５３が設定され、これによりハンドル５の回動範囲と可動角が固定され、ハンドル操作の安定が得られる。なお、他の実施例として操作ハンドルの固定にローラーキャッチを付設するのに代えて可動角の上限位置にもストッパー突起５４を設定し、下限位置のストッパー突起５３とによってハンドル５の回動範囲と可動角が固定することもできる。
【００２３】
以上は２次側ホルダーに操作ハンドル５を設定した場合の実施例についてのものでバランス的に安定した形態であるが、水道メータの設置環境によっては１次側ホルダーに操作ハンドル５を設定することも可能であり、或いは１次側、２次側の双方に設定することもできる。
更に、メータ支持ピース２ａと２ｂは、ホルダー１ａと１ｂにそれぞれ回動可能に嵌着されているので、水道用メータＡに対する締着筒４の前進による締着圧のみでは水道用メータＡの支持力や回動操作が不安定となるため、メータ支持ピース２ａと２ｂの対向下端部を連結体７によって連結固定するようにする。
【００２４】
連結体７は台盤状の本体の１次側に、メータ支持ピース２ａの下端部に植設されたピン２２を摺動可能に嵌入する溝７３を備えた嵌着部７１、２次側にメータ支持ピース２ｂの下端部に着接するビス孔を備えた着接部７２を形成して成り、メータ支持ピース２ａと２ｂを１次側において面間距離の調整が可能なように連結し、締着筒４を前進させて水道メータＡをホルダー１ａと１ｂ間に圧締固定するものである。
【００２５】
この時、連結体７の嵌着部７１の摺動溝７３に嵌入されたピン２２は締着筒４の前進と共に溝内を前進してホルダー間の面間距離を縮め圧着距離に同調する。連結体７は本体を必ずしも上記のような台盤状に構成する必要はなく、棒状の連結杆に構成すれば重量面でも材料コスト面でも有利である。
【００２６】
以上のように構成したホルダーベース１は、先ず、止水栓１４を閉栓して設置スペースに配管された給水支管Ｐ１、Ｐ２の配管位置に対応してエルボ型継手１３を回動して継手口を合わせ、１次側、２次側それぞれのエルボ型継手１３と給水支管Ｐ１、Ｐ２を連結接合する。
【００２７】
次いで、回動ハンドル４１を回動して締着筒４を後退状態とし、ホルダー１ａと１ｂの間にメータ支持ピース２ａと２ｂを介してメータＡを嵌装して、回動ハンドル４１の回動操作により締着筒４を前進させれば、水道メータＡがホルダー１ａと１ｂの間に締着固定され、メータ支持ピース２ａと２ｂの回動操作によって水道メータＡも一体に回動する。
【００２８】
水道メータＡがホルダー１ａと１ｂの間に締着固定されれば、１次側の止水栓１４を開栓すれば水流はホルダー１ａの流路からメータＡを通過してホルダー１ｂの流路に流通して流量等の計測が行われるものである。
【００２９】
本発明は以上のように構成したので、メータの指針表示面を回動させて検針作業員の目線に合わせた検針作業が行えると共に、設置スペースの環境に合わせてメータの指針表示面の向きを変えることができるので、メータホルダー設置スペースの配置場所の選定範囲を広げ、住宅の壁や塀などの垂直面、或いは傾斜面にもホルダーを設定することができ、設置スペースの節約と確保に貢献できるものである。
【産業上の利用可能性】
【００３０】
本発明に係る水道用メータホルダーは、設置スペースの環境に合わせてメータの指針表示面の向きを変えることができ、メータホルダー設置スペースの配置場所の選定範囲が広げられて、住宅の壁や塀などの垂直面、或いは傾斜面にもホルダーを設定することが可能となるので、水道施設産業上に高度の利用価値を有するものである。
【符号の説明】
【００３１】
１      ホルダーベース本体
１ａ    １次側ホルダー
１ｂ    ２次側ホルダー
１１    配管連結構造部
１２    １次側ホルダー内径の雌螺子
１３    エルボ型継手
１４    止水栓ユニット
２１    水道メータ端部着合嵌着部
２ａ    １次側メータ支持ピース
２ｂ    ２次側メータ支持ピース
２２    メータ支持ピースの連結体嵌着植設ピン
３      逆止弁ユニット
３１    逆止弁ユニット嵌入スペース
３２    嵌入スペースの上部開口部
３３    上部開口部のキャップ
４      締着筒
４１    締着筒の回動ハンドル
４２    締着筒の後端部外表に刻設された雄螺子
５      操作ハンドル
５１    ハンドル座板
５２    ハンドル座板の締着ビス
５３    操作ハンドルのストッパー突起
５４    操作ハンドルのストッパー突起
６      ローラキャッチ
６１    嵌合キーパー
６２    ローラキャッチの挟着爪
７      メータ支持ピース連結体
７１    連結体の支持ピース嵌着部
７２    連結体の支持ピース着接部
７３    連結体嵌着部の摺動溝
Ａ      水道用メータ
Ｐ１    １次側給水支管
Ｐ２    ２次側給水支管
【図１】
0005645436.tif 000002
【図２】
0005645436.tif 000003
【図３】
0005645436.tif 000004
【図４】
0005645436.tif 000005
【図５】
0005645436.tif 000006
【図６】
0005645436.tif 000007
【図７】
0005645436.tif 000008